(57)【要約】【課題】イベント会場におけるイベントの様子を撮影したデジタル画像を提供する。【解決手段】イベント画像提供装置２００は、画像取得部２０４と、画像保持部２０６と、装飾指示受付部２１０と、ページ送信部２１６を備える。画像取得部２０４は、画像登録端末１００から結婚式画像を取得し、画像保持部２０６がこれを保持する。ページ送信部２１６は、結婚式画像を含むウェブページをユーザ端末３００に送信する。装飾指示受付部２１０が、ユーザ端末３００を介して、ユーザからウェブページに対する装飾指示を受け付けると、ページ送信部２１６は、装飾を表示するよう更新したウェブページをユーザ端末３００に送信する。【選択図】図３
2013130962.tif 000002
【特許請求の範囲】
【請求項１】
ウェブブラウザを搭載したユーザ端末と通信ネットワークを介して接続され、
イベント会場におけるイベントの様子を撮影したデジタル画像を取得する画像取得部と、
前記取得されたデジタル画像を保持する画像保持部と、
前記保持されたデジタル画像を含むウェブページであって、前記イベントが開催された会場に関する情報を掲載したウェブページを前記ユーザ端末に送信するページ送信部と、
前記ウェブページを介して、前記ユーザ端末から前記ウェブページに対する装飾指示を受け付ける装飾指示受付部と、
前記装飾指示を受け付けたとき、所定の装飾が表示されるよう更新したウェブページを前記ユーザ端末に送信する更新ページ送信部と、
を備えることを特徴とするイベント画像提供装置。
【請求項２】
前記ウェブページを介して、前記ユーザ端末から前記ウェブページに含まれる画像に関するコメントを受け付けるコメント受付部をさらに備え、
前記ページ送信部は、前記コメントを受け付けたとき、そのコメントが表示されるよう更新したウェブページを前記ユーザ端末に送信することを特徴とする請求項１に記載のイベント画像提供装置。
【請求項３】
前記イベント会場は、結婚式場であり、
前記デジタル画像は、結婚式場における結婚式及び／又は披露宴の様子を撮影した画像であることを特徴とする請求項１または２に記載のイベント画像提供装置。
【発明の詳細な説明】
【技術分野】
【０００１】
本発明は情報処理技術に関し、特にイベント会場におけるイベントの様子を撮影したデジタル画像を提供する装置に関する。
【背景技術】
【０００２】
デジタルカメラやデジタルビデオカメラの普及により、結婚式などのイベントの様子が、その参加者のデジタルカメラやデジタルビデオカメラで撮影されるようになっている。例えば、特許文献１には、操作性の良好なデジタルカメラが開示されている。
【先行技術文献】
【特許文献】
【０００３】
【特許文献１】特開２００１−２５１５３８号公報
【発明の概要】
【発明が解決しようとする課題】
【０００４】
しかし、イベントの参加者が撮影した画像は、撮影した参加者自身が見るにとどまり、周りの人々に提供されない場合が多い。そのため、仕事や体調不良などの何らかの理由で参加できなかった人や会場の収容人数の制限のために招待されなかった人は、参加した友人からの報告でしかイベントの様子を知ることができない。また、仮に、イベントの様子を撮影した画像を見ることができたとしても、単に画像を見るだけではイベントに参加したかのような臨場感を味わうことも難しい。
【０００５】
また、上述のごとく、単に画像を見るだけでは臨場感を味わいにくいため、イベントに参加できなかった者にはイベント会場の良さも伝わりにくい。そのため、イベント会場を運営する側からすると、イベント会場の良さがそのイベントの参加者という限られた人にしか伝わらず、次の成約につながりにくいという問題がある。
【０００６】
本発明はこうした課題に鑑みてなされたものであり、その主な目的は、イベント会場におけるイベントの様子を撮影したデジタル画像を提供することにある。
【課題を解決するための手段】
【０００７】
上記課題を解決するために、本発明のある態様のイベント画像提供装置は、ウェブブラウザを搭載したユーザ端末と通信ネットワークを介して接続され、イベント会場におけるイベントの様子を撮影したデジタル画像を取得する画像取得部と、取得されたデジタル画像を保持する画像保持部と、保持されたデジタル画像を含むウェブページであって、イベントが開催された会場に関する情報を掲載したウェブページをユーザ端末に送信するページ送信部と、ウェブページを介して、ユーザ端末からウェブページに対する装飾指示を受け付ける装飾指示受付部と、装飾指示を受け付けたとき、所定の装飾が表示されるよう更新したウェブページをユーザ端末に送信する更新ページ送信部と、を備える。
【０００８】
なお、以上の構成要素の任意の組合せ、本発明の表現を方法、システム、プログラム、プログラムを格納した記録媒体などの間で変換したものもまた、本発明の態様として有効である。
【発明の効果】
【０００９】
本発明によれば、イベント会場におけるイベントの様子を撮影したデジタル画像を提供することができる。
【図面の簡単な説明】
【００１０】
【図１】実施の形態に係るイベント画像提供装置を含むイベント画像提供システムの全体構成を示す図である。
【図２】結婚式画像閲覧ウェブページを示す図である。
【図３】図１のイベント画像提供装置の機能構成を示す図である。
【発明を実施するための形態】
【００１１】
実施の形態に係るイベント画像提供装置の概要は以下の通りである。
本装置は、イベント会場におけるイベントの様子を撮影したデジタル画像（以下、単に「イベント画像」ともよぶ）を含むウェブページを提供する。このウェブページにアクセスすることにより、イベントに参加できなかった者（以下、単に「不参加者」ともよぶ）は、イベント画像を閲覧できる。
また、本装置が提供するウェブページには、祝福ボタンが設けられている。祝福ボタンは、祝福の気持ちを伝えるときにクリックするボタンであり、このボタンをクリックする行為は、言ってみれば、イベントの主役等に向かって「おめでとう」と声をかける行為に相当する。そして、この祝福ボタンをクリックすると、ウェブページに所定の装飾、例えば薔薇の装飾が追加表示される。また、本装置が提供するウェブページには、コメント欄が設けられている。不参加者は、イベント画像を見ての感想などを、コメントに書き込むことができる。また、他の不参加者によって書き込まれたコメントを見ることもできる。この祝福ボタンによる演出や、コメントを書き込むことや、他の不参加者のコメントを見ることを通して、イベントに参加しているかのような臨場感を味わうことができる。
また、本装置が提供するウェブページには、イベント会場に関する情報が掲載される。そのため、不参加者に対しても、イベント会場に関する情報を伝えることができる。上述したように、臨場感を味わいながらイベント画像を見ることができ、自らがそのイベント会場を利用した場合のイメージが湧くため、その宣伝効果は大きいものと期待され、次の成約につながることが期待される。
【００１２】
図１は、本実施の形態に係るイベント画像提供装置２００を含むイベント画像提供システム５００の全体構成を示す。イベント画像提供システム５００は、イベント会場においてイベントの様子を撮影したデジタル画像をユーザに提供する。以降では、イベント会場は結婚式場であるとする。また、デジタル画像は結婚式及び／又は披露宴の様子を撮影した静止画像（以下、単に「結婚式画像」ともよぶ）であり、プロのカメラマンによって撮影されたものであるとする。
【００１３】
イベント画像提供システム５００は、画像登録端末１００ａ、１００ｂ、・・・、１００ｃ（以下、まとめて「画像登録端末１００」とよぶ）、イベント画像提供装置２００、ユーザ端末３００ａ、３００ｂ、・・・、３００ｃ（以下、まとめて「ユーザ端末３００」とよぶ）、ネットワーク４００を備える。画像登録端末１００とイベント画像提供装置２００、ユーザ端末３００とイベント画像提供装置２００は、それぞれネットワーク（以下、インターネットを想定する）４００を介して接続される。画像登録端末１００およびユーザ端末３００は、ウェブブラウザを搭載した一般的なＰＣ（Personal Computer）端末である。もちろん、携帯電話、スマートフォン、タブレット端末等であってもよい。
【００１４】
カメラマンは、デジタルカメラにより結婚式及び／又は披露宴の様子を撮影する。画像登録端末１００は、そのカメラに直接接続されるか記録媒体を介すことにより、結婚式画像を受け付ける。そして、受け付けた結婚式画像をイベント画像提供装置２００に送信する。
【００１５】
ユーザは、ユーザ端末３００を介してイベント画像提供装置２００に対し結婚式画像の閲覧要求をする。ここでいうユーザとは、新郎新婦から結婚式画像の閲覧を許可された者を指す。これらの者には、結婚式画像を閲覧するためのウェブページ（以下、「結婚式画像閲覧ウェブページ」ともよぶ）のＵＲＬとパスワードが知らされている。
【００１６】
イベント画像提供装置２００は、閲覧要求を受け付けると、結婚式画像閲覧ウェブページを生成し、ユーザ端末３００に送信する。図２は、ユーザ端末３００に表示される結婚式画像閲覧ウェブページを示す。結婚式画像閲覧ウェブページは、切替指示部６００、画像領域６０２、背景領域６０４、祝福ボタン６０６、コメント領域６０８、会場情報領域６１６によって構成される。
【００１７】
画像領域６０２は、結婚式画像が表示される領域である。ここでは、「結婚式」の画像が表示されている。背景領域６０４は、画像領域６０２を取り囲む背景領域であり、薔薇の装飾が表示される領域である。
【００１８】
祝福ボタン６０６は、新郎新婦に祝福の気持ちを伝えるときにクリックするボタンである。このボタンをクリックする行為は、言ってみれば、結婚式や披露宴で新郎新婦に向かって「おめでとう」と声をかける行為に相当する。このボタンをクリックすると、背景領域６０４に所定の装飾、例えば、薔薇の装飾が追加表示される。具体的には、このボタンをクリックすると、イベント画像提供装置２００に装飾指示が送信される。装飾指示を受け付けたイベント画像提供装置２００は、背景領域６０４に薔薇の装飾が追加表示されるようウェブページを更新し、ユーザ端末３００に送信する。ここでは、すでに１０個の薔薇の装飾が表示されているので、祝福ボタン６０６をクリックすると、１１個の薔薇の装飾が背景領域６０４に表示される。
【００１９】
コメント領域６０８は、表示領域６１０、入力領域６１２、書き込みボタン６１４によって構成される。入力領域６１２は、「ニックネーム」、「コメント」の２つの記入欄を含み、書き込みボタン６１４をクリックすると入力領域６１２に入力されたデータがイベント画像提供装置２００に送信される。コメントを受け付けたイベント画像提供装置２００は、受け付けたコメントが表示領域６１０に表示されるようウェブページを更新し、ユーザ端末３００に送信する。
【００２０】
会場情報領域６１６は、結婚式や披露宴が行われた会場に関する情報が表示される。ここでは、結婚式場名、その電話番号、メールアドレスが表示されている。
【００２１】
切替指示部６００は、ウェブページの切り替えを行うための指示部である。切替指示部６００には、該当するウェブページのタイトルなどウェブページを特定できる情報が端的に表示される。ここでは、「結婚式」、「披露宴：ｓｃｅｎｅ１」、「披露宴：ｓｃｅｎｅ２」、「その他」の４つのシーンのウェブページが用意されており、「結婚式」のウェブページが選択されている。
【００２２】
上述した４つのシーンにはそれぞれ複数の画像が登録されており、図示しないボタンをクリックすることにより画像領域６０２の画像を切り替えることができる。この際、背景領域６０４と表示領域６１０の表示も切り替わる。つまり、薔薇の装飾とコメントは、各画像に対応付けられている。もちろん、背景領域６０４と表示領域６１０の表示はそのままに、画像のみが切り替わるようにしてもよい。
【００２３】
図３は、イベント画像提供装置２００の機能構成を示す。これら各ブロックは、ハードウェア的には、コンピュータのＣＰＵをはじめとする素子や機械装置で実現でき、ソフトウェア的にはコンピュータプログラム等によって実現されるが、ここでは、それらの連携によって実現される機能ブロックを描いている。したがって、これらの機能ブロックはハードウェア、ソフトウェアの組合せによっていろいろなかたちで実現できることは、当業者には理解されるところである。
【００２４】
イベント画像提供装置２００は、ＵＲＬ通知部２０２、画像取得部２０４、画像保持部２０６、ページ取得要求受付部２０８、装飾指示受付部２１０、コメント受付部２１２、ページ生成部２１４、ページ送信部２１６を含む。
【００２５】
ＵＲＬ通知部２０２は、ユーザに対し結婚式閲覧用ウェブページのＵＲＬおよびパスワードを通知する。具体的には、それらの内容を本文に記載した電子メールを送信することにより通知する。この場合、ＵＲＬ通知部２０２は、メールアドレス入力用のウェブページを提供し、このウェブページを介してメールアドレスを取得する。また、新郎新婦が外部のＳＮＳ（Social Network Service）を利用している場合は、そのＳＮＳを通じて通知してもよい。この場合、ＵＲＬ通知部２０２は、外部のＳＮＳと連携するインタフェースを提供する。新郎新婦は、このインタフェースを介してＳＮＳ内で互いに承認し合った「友達」の一覧を取得し、その中から通知する友達を選択し、選択した友達にＵＲＬおよびパスワードを通知する。
【００２６】
画像取得部２０４は、画像登録端末１００から結婚式画像を取得し、それを画像保持部２０６に格納する。
【００２７】
画像保持部２０６は、画像取得部２０４が取得した結婚式画像を保持する。具体的には、画像領域６０２に表示される結婚式画像と、背景領域６０４に表示された薔薇の数（祝福ボタンクリック回数）と、コメント領域６０８に表示されるコメントと、会場情報領域６１６を対応付けて保持する。
【００２８】
ページ取得要求受付部２０８は、ユーザ端末３００から結婚式画像の閲覧要求、すなわち、結婚式画像閲覧ウェブページの取得要求を受け付ける。ページ取得要求受付部２０８は、要求を受け付けるとページ生成部２１４に通知する。なお、初回アクセス時は、認証が必要となるが、ページ取得要求受付部２０８がその認証処理を行うこととする。この認証処理は公知の技術でよいので、説明は省略する。
【００２９】
装飾指示受付部２１０は、ユーザ端末３００からウェブページの装飾指示を受け付ける。図２に関連して説明したように、ユーザが祝福ボタン５０６をクリックしたときに装飾指示が送信される。また、装飾指示受付部２１０は装飾指示を受け付けると、画像保持部２０６の対象の結婚式画像の祝福ボタンクリック回数を更新する。
【００３０】
コメント受付部２１２は、ユーザ端末３００からコメントを受け付ける。図２に関連して説明したように、書き込みボタン６１４をクリックしたときにコメントが送信される。また、コメント受付部２１２はコメントを受け付けると、画像保持部２０６の対象の結婚式画像のコメントを更新する。
【００３１】
ページ生成部２１４は、ページ取得要求受付部２０８がウェブページの取得要求を受け付けると、画像保持部２０６から結婚式画像、薔薇の数（祝福ボタンクリック回数）、コメントを取得し、ウェブページを生成する。背景領域６０４に表示できる薔薇の数にはスペース的に所定の制限がある。その大きさによっても表示できる薔薇の数は異なるが、ここでは３０個を上限とする。したがって、祝福ボタン６０６のクリック回数が３０までは祝福ボタン６０６をクリックするたびに薔薇の装飾が増加し、それ以降は、祝福ボタンのクリック回数のカウントはするものの、薔薇の装飾は増加しない。
【００３２】
ページ生成部２１４は、装飾指示を受け付けたときにもウェブページを生成する。前述のごとく、装飾指示を受け付けると祝福ボタンクリック回数が更新されるため、上述した上限（３０個）に達していなければ、薔薇の数が１つ多く表示されることになる。つまり、薔薇の数が１つ多くなるよう更新されたウェブページが生成される。
【００３３】
ページ生成部２１４は、コメントを受け付けたときにも、ウェブページを生成する。つまり、追加で送られたコメントが表示されるよう更新されたウェブページが生成される。  
【００３４】
ページ送信部２１６は、ユーザから閲覧要求があったとき、ページ生成部２１４が生成したウェブページをユーザ端末３００に送信する。また、ユーザが祝福ボタンをクリックしたとき、すなわち装飾指示を受け付けたときにも、ページ生成部２１４が生成したウェブページ、すなわち、更新されたウェブページをユーザ端末３００に送信する。さらに、ユーザがコメントを書き込んだときにも、ページ生成部２１４が生成したウェブページ、すなわち、更新されたウェブページをユーザ端末３００に送信する。
【００３５】
以上の構成によれば、結婚式、披露宴に参列していないユーザであっても、結婚式画像閲覧ページにより、その様子を画像を通して知ることができる。また、祝福の気持ちを伝えるべく祝福ボタンをクリックすると閲覧用ページに装飾が表示されたり、コメントが書き込めたり、他のユーザのコメントを閲覧したりできるため、みんなで結婚式や披露宴に参加しているかのような臨場感を味わうことができる。また、閲覧ページには、会場に関する情報も掲載されるため、このような臨場感溢れる閲覧用ページを通して、より多くのユーザに会場の宣伝をすることができ、次の成約につながることが期待できる。
【００３６】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００３７】
変形例１
実施の形態では、イベント会場は結婚式場であり、行われるイベントは結婚式や披露宴である例を示したが、本発明はこれに限られない。例えば、イベント会場はホテルのパーティ会場であり、行われるイベントは卒業パーティや成人式のパーティであってもよい。また、イベント会場はホールであり、行われるイベントは吹奏楽のコンクールであってもよい。
【００３８】
変形例２
実施の形態では、デジタル画像はデジタルカメラによって撮影された静止画である例を示したが、デジタルビデオカメラ等によって撮影された動画であってもよい。
【００３９】
変形例３
実施の形態では、背景領域６０４に表示される装飾は薔薇である例を示したが、本発明はこれに限られない。例えば、装飾は「ハート」、「ブーケ」、「音符」マークであってもよい。
【００４０】
変形例４
実施の形態では、背景領域６０４に表示される薔薇の数には制限（３０個）がある例を示したが、制限を設けないようにしてもよい。その場合、例えば、祝福ボタン６０６のクリック回数３０ごとに薔薇の色を変更することが考えられる。そうすることで、例えば、３０個の赤い薔薇によって背景領域６０４が埋め尽くされていても、次のクリック時には異なる色の薔薇が表示されるため、祝福ボタン６０６をクリックしたユーザは、自身のクリックによって薔薇が表示されたことを認識できる。その結果、祝福ボタン６０６をクリックすることによって得られる臨場感を、先着３０名に限らず、祝福ボタン６０６をクリックしたすべての人が味わうことができる。
【００４１】
請求項に記載の各構成要件が果たすべき機能は、実施の形態および変形例において示された各構成要件の単体もしくはそれらの連係によって実現されることも当業者には理解されるところである。
【符号の説明】
【００４２】
１００  画像登録端末、  ２００  イベント画像提供装置、  ２０２  ＵＲＬ通知部、  ２０４  画像取得部、  ２０６  画像保持部、  ２０８  ページ取得要求受付部、  ２１０  装飾指示受付部、  ２１２  コメント受付部、  ２１４  ページ生成部、  ２１６  ページ送信部、  ３００  ユーザ端末、  ４００  ネットワーク、  ５００  イベント画像提供システム。
【図１】
2013130962.tif 000003
【図２】
2013130962.tif 000004
【図３】
2013130962.tif 000005